(57)【要約】【課題】施療部による温熱施療を可能としながら、容易に防水性を確保することができる頭皮ケア装置を提供する。【解決手段】頭皮ケア装置１は、モータ１３の駆動により動作される施術部２１の施術突起２９にて頭皮へのマッサージを行いつつ、施術部２１に内装した金属板２５を本体ハウジング１１内のコイル１８による誘導加熱にて温め、これによる頭皮への温熱施療が可能に構成されている。【選択図】図１
2013000130.tif 000002
【特許請求の範囲】
【請求項１】
使用者の頭皮と接触される施術突起を有する施術部が本体ハウジングと別体で設けられ、前記本体ハウジングに収容される駆動源の駆動により前記施術部を動作させて前記施術突起により前記頭皮に刺激を付与するとともに、前記施術部による温熱施療を可能とした頭皮ケア装置であって、
前記施術部に被加熱体が設けられるとともに、前記本体ハウジング内に前記被加熱体を誘導加熱するコイルが設けられたことを特徴とする頭皮ケア装置。
【請求項２】
請求項１に記載の頭皮ケア装置において、
前記被加熱体は、金属粒子を含むことを特徴とする頭皮ケア装置。
【請求項３】
請求項２に記載の頭皮ケア装置において、
前記金属粒子は、前記施術突起に含有され、
前記施術突起は、基端部側よりも先端部側に前記金属粒子の含有量が多くなるように構成されたことを特徴とする頭皮ケア装置。
【請求項４】
請求項１〜３のいずれか１項に記載の頭皮ケア装置において、
前記被加熱体は、金属板を含むことを特徴とする頭皮ケア装置。
【請求項５】
請求項１〜４のいずれか１項に記載の頭皮ケア装置において、
前記コイルから前記被加熱体以外に向かって放射される電磁波を抑制する電磁波抑制部材が設けられたことを特徴とする頭皮ケア装置。
【請求項６】
請求項５項に記載の頭皮ケア装置において、
前記電磁波抑制部材は、前記施術部と対向する部分を除く前記コイルの周囲に設けられたことを特徴とする頭皮ケア装置。
【請求項７】
請求項５又は６に記載の頭皮ケア装置において、
前記電磁波抑制部材は、前記被加熱体への電磁波の放射を阻害しない前記施術部内の部分に設けられたことを特徴とする頭皮ケア装置。
【請求項８】
請求項５〜７のいずれか１項に記載の頭皮ケア装置において、
前記施術部には、前記本体ハウジングから突出した出力軸の先端部分に固定され該出力軸と一体回転する板状の回転部材が設けられ、
前記電磁波抑制部材は、前記回転部材の一面に前記被加熱体と前記コイルとが対向する部分を除いて設けられたことを特徴とする頭皮ケア装置。
【発明の詳細な説明】
【技術分野】
【０００１】
本発明は、例えば頭皮の活性化や育毛を図るための頭皮ケア装置に関するものである。
【背景技術】
【０００２】
頭皮ケア装置としては、例えば特許文献１に示すように、施術突起を有する施術部がヘルメット体の内側面に一体的に備えられるものがある。この頭皮ケア装置は、ヘルメット体を使用者の頭部に装着して使用者の頭部（頭皮）に施術突起を接触させ、該施術突起を小型バイブレーション（駆動源）の駆動により動作させることで、使用者の頭皮が刺激され血流促進等の頭皮に対するマッサージ効果が得られるものである。
【０００３】
また、この頭皮ケア装置は、外部電源と接続されたヒータを施術部に内蔵し、ヒータを駆動して施術突起を温めながらマッサージを行う温熱施療が行われることで、頭皮へのマッサージ効果を高めることができるようになっている。
【先行技術文献】
【特許文献】
【０００４】
【特許文献１】実開平３−６７６４０号公報
【発明の概要】
【発明が解決しようとする課題】
【０００５】
しかしながら、上記のような頭皮ケア装置では、施術突起を温めるヒータへの給電を行う電気配線等をヘルメット体から施術部の内部まで配設する必要がある。そのため、洗髪後の頭皮に温熱施療を行うような使用状態をも想定すると、施術部自体の防水性や、施術部とヘルメット体との間の防水性を十分に確保する必要が生じるため、容易ではなかった。特に、施術部を本体に対して回転等の動作を行わせる構成を考えた場合、相対移動する施術部と本体との間を含め装置全体の防水性を確立させることが困難だった。
【０００６】
本発明は、上記課題を解決するためになされたものであって、その目的は、施療部による温熱施療を可能としながら、容易に防水性を確保することができる頭皮ケア装置を提供することにある。
【課題を解決するための手段】
【０００７】
上記課題を解決するために、本発明の頭皮ケア装置は、使用者の頭皮と接触される施術突起を有する施術部が本体ハウジングと別体で設けられ、前記本体ハウジングに収容される駆動源の駆動により前記施術部を動作させて前記施術突起により前記頭皮に刺激を付与するとともに、前記施術部による温熱施療を可能とした頭皮ケア装置であって、前記施術部に被加熱体が設けられるとともに、前記本体ハウジング内に前記被加熱体を誘導加熱するコイルが設けられることが好ましい。
【０００８】
また上記構成において、前記被加熱体は、金属粒子を含むことが好ましい。
また上記構成において、前記金属粒子は、前記施術突起に含有され、前記施術突起は、基端部側よりも先端部側に前記金属粒子の含有量が多くなるように構成さることが好ましい。
【０００９】
また上記構成において、前記被加熱体は、金属板を含むことが好ましい。
また上記構成において、前記コイルから前記被加熱体以外に向かって放射される電磁波を抑制する電磁波抑制部材が設けられることが好ましい。
【００１０】
また上記構成において、前記電磁波抑制部材は、前記施術部と対向する部分を除く前記コイルの周囲に設けられることが好ましい。
また上記構成において、前記電磁波抑制部材は、前記被加熱体への電磁波の放射を阻害しない前記施術部内の部分に設けられることが好ましい。
【００１１】
また上記構成において、前記施術部には、前記本体ハウジングから突出した出力軸の先端部分に固定され該出力軸と一体回転する板状の回転部材が設けられ、前記電磁波抑制部材は、前記回転部材の一面に前記被加熱体と前記コイルとが対向する部分を除いて設けられることが好ましい。
【発明の効果】
【００１２】
本発明によれば、施療部による温熱施療を可能としながら、容易に防水性を確保することができる頭皮ケア装置を提供することができる。
【図面の簡単な説明】
【００１３】
【図１】本実施形態における頭皮ケア装置の断面図である。
【図２】頭皮ケア装置の別例を示すための部分断面図である。
【図３】頭皮ケア装置の別例を示すための部分断面図である。
【図４】頭皮ケア装置の別例を示すための部分断面図である。
【図５】（ａ）は、頭皮ケア装置の別例を示すための部分断面図、（ｂ）は、フェライトコアの平面図である。
【図６】（ａ）は、頭皮ケア装置の別例を示すための部分断面図、（ｂ）は、頭皮ケア装置の上面図、（ｃ）は、回転体及び本体ハウジングの上面図である。
【発明を実施するための形態】
【００１４】
以下、本発明を具体化した実施形態を図１に従って説明する。
図１に示すように、本実施形態の頭皮ケア装置１は、外観が略直方体状の本体ハウジング１１と、該本体ハウジング１１内に収容保持され、出力軸１２を回転駆動するための駆動源としてのモータ１３とを備える。また頭皮ケア装置１は、本体ハウジング１１から突出した出力軸１２の先端部分に連結され、出力軸１２の回転に基づいて駆動される施術部２１を備える。
【００１５】
本体ハウジング１１は、使用者が把持可能な大きさに形成されるとともに、防水構造にて構成されている。本体ハウジング１１の側面１１ａには、使用者が頭皮ケア装置１をオンオフ操作するためのスイッチ１４が設けられている。出力軸１２は、本体ハウジング１１の上面１１ｂの開口部に設けられた軸受１５にて回転可能に軸支されるとともに、開口部から本体ハウジング１１の外部に突出している。また出力軸１２は、本体ハウジング１１内の基端側に出力軸ギヤ１２ａが設けられている。
【００１６】
モータ１３は、回転軸１３ａを回転駆動可能なものであって、該回転軸１３ａの先端部には回転軸ギヤ１３ｂが設けられている。そして、モータ１３は、回転軸ギヤ１３ｂが前記出力軸ギヤ１２ａに噛合されるように本体ハウジング１１内に収容保持されることで、出力軸１２を回転駆動可能とされている。またモータ１３は、本体ハウジング１１内に収容保持された制御部１６に電気的に接続されている。制御部１６は、前記スイッチ１４及び本体ハウジング１１内に収容保持された電源部（バッテリー）１７に電気的に接続されている。また、本体ハウジング１１の内部には、前記施術部２１と対向する上面１１ｂの内側にコイル１８が設けられており、該コイル１８は制御部１６と電気的に接続されている。
【００１７】
施術部２１は、円板状の回転体２２と、略円柱状の施術部ケース２３と、施術部ケース２３に保持された施術部材２４と、施術部ケース２３に収容された金属板２５とを有する。回転体２２は、略円板状に形成され、その軸中心が出力軸１２の中心である第１の軸Ｘ１からずれた第２の軸Ｘ２中心となるように前記出力軸１２の先端部分に一体回転可能に固定されている。施術部ケース２３は、下面２３ａの開口部に設けられた軸受２６を介して前記回転体２２の先端側の外周面に回転可能に支持されている。つまり、施術部ケース２３は、第１の軸Ｘ１からずれた第２の軸Ｘ２中心で出力軸１２に対して回転可能に設けられている。
【００１８】
施術部材２４は、エラストマー等の弾性部材よりなり、施術部ケース２３内に保持された平板状のベース部２８と、該ベース部２８に複数形成された施術突起２９とを備える。施術突起２９は、略円錐形状に形成され、施術部ケース２３の上方に（第２の軸Ｘ２と平行に）突出するように４つ形成されている。尚、施術突起２９は、図１では、２つのみ図示する。施術部材２４における４つの施術突起２９は、それぞれ第２の軸Ｘ２を中心として均等な距離に等角度（９０°）間隔に配置されている。金属板２５は、施術部材２４のベース部２８の下面（施術突起２９とは反対側面）に密着するように施術部ケース２３内に収容されている。
【００１９】
次に、このように構成された頭皮ケア装置１の動作（作用）について説明する。
スイッチ１４が使用者によってオン操作されると、制御部１６からの制御に基づいて、電源部１７からモータ１３に回転軸１３ａを回転駆動させるための駆動電流が供給される。
【００２０】
モータ１３の回転軸１３ａが回転駆動されると、出力軸１２及び施術部２１の回転体２２が前記第１の軸Ｘ１を中心として回転する。また、このとき、施術部２１の施術部材２４及び施術部ケース２３が前記第１の軸Ｘ１を周回するように前記第１の軸Ｘ１を中心として回転する。
【００２１】
そして、施術部材２４（施術突起２９）の先端を頭皮に接触させると、施術突起２９の先端の動きに合わせて使用者の頭皮が動かされることになり、頭皮のマッサージが行われることになる。尚、施術部材２４は、施術部ケース２３に保持されており、回転体２２に対して（第２の軸Ｘ２中心で）回転可能に支持されている。よって、施術部材２４は、負荷（施術突起２９に接触される頭皮との摩擦等）に応じて、例えば、第１の軸Ｘ１方向から見て第２の軸Ｘ２に対する施術突起２９の位置関係が変化しない状態を保ったまま（スライドするように）第１の軸Ｘ１中心に回転することが可能である。よって、負荷（頭皮や毛髪との摩擦等）によっては、各施術突起２９が第１の軸Ｘ１を中心として（それぞれがそれぞれの半径で）単純に回転する運動に基づいて施術部材２４に毛髪が絡まってしまうといった現象を回避することができる。
【００２２】
また、制御部１６の制御に基づいて電源部１７からコイル１８に高周波電流が供給されると、施術部２１内の金属板２５に渦電流が生じる誘導加熱にて、金属板２５の温度が上昇する。温度が上昇した金属板２５の熱がその金属板２５に密着するベース部２８に伝わり、施術突起２９を含む施術部材２４が温められる。そして、温められた施術突起２９の先端を使用者の頭皮に接触させながら上記した頭皮ケアを行うことで、頭皮に熱を付与した温熱施療が可能となり、より高いマッサージ効果が得られるようになる。
【００２３】
尚、コイル１８は、例えば、出力軸１２の中心である第１の軸Ｘ１に対して同心円状に施術部２１（金属板２５）の可動範囲（回転によってできる範囲）に応じて設けることが好ましい。また、金属板２５の材料としては、例えば、電気抵抗が高く、誘導加熱により温度上昇し易い鉄やステンレスが好ましい。
【００２４】
次に、本実施形態の特徴的な効果を記載する。
（１）本実施形態の頭皮ケア装置１は、モータ１３の駆動により動作される施術部２１の施術突起２９にて頭皮への刺激の付与（マッサージ）を行いつつ、施術部２１に内装した金属板２５を本体ハウジング１１内のコイル１８による誘導加熱にて温め、これによる頭皮への温熱施療が可能となっている。つまり、本実施形態では、施術部２１内の金属板２５に対して誘導加熱を行う構成としたことから、施術部２１への電気配線が不要、即ち施術部２１側の防水性を考慮する必要がなくなるため、頭皮ケア装置１としての防水性を容易に確保することができる。特に、本実施形態のような施術部２１を本体ハウジング１１に対して相対動作させるような場合に、施術部２１への電気配線及びその防水構造を省略できる意義は大きい。
【００２５】
（２）施術部２１内に被加熱体として金属板２５を配置するだけであるため、その金属板２５の作製が容易であるとともに、施術部２１の構成を大きく複雑化するものではない。
【００２６】
尚、本発明の実施形態は、以下のように変更してもよい。
・上記実施形態では、誘導加熱により温められる被加熱体として金属板２５を施術部材２４と別体で設けたが、これに限定されず、例えば金属板２５を施術部材２４のベース部２８内に埋設して一体形成してもよい。
【００２７】
また、例えば図２に示すように、施術部材２４の施術突起２９の内部に金属粒子３１を含有させた構成としてもよい。施術突起２９は、弾性部材（例えば、エラストマー）からなり金属粒子３１が含有された内層部２９ａと、金属粒子３１が含有されていない外層部２９ｂとの２層構造にて構成されている。尚、金属粒子３１は、施術突起２９の全体に略均一に散在している。
【００２８】
このように構成された頭皮ケア装置１は、コイル１８による各金属粒子３１の誘導加熱にて、施術突起２９全体を効率的に温めることができる。また、金属粒子３１が露出しないように２層構造にて構成されていることから、施術突起２９が濡れることで生じ得る金属粒子３１の錆びを防止できる。尚、内層部２９ａと外層部２９ｂとを異なる弾性材料にて成形してもよく、また外層部２９ｂを例えば耐食性を有する塗装や膜等にて構成してもよい。また、金属粒子３１を含有する部材を施術部材２４とは別に設けて、例えばベース部２８に密着させた構成としてもよい。また、被加熱体として金属板２５及び金属粒子３１の両方を備えた構成としてもよい。
【００２９】
また、例えば図３に示すように、内層部２９ａに含有される金属粒子３１を、施術突起２９の基端側（ベース部２８側）から先端側に向かうに連れて含有量が多くなるように構成してもよい。このようにすれば、コイル１８からの距離が離れて温まりにくい先端部分を積極的に加温させることができる。尚、金属粒子３１の含有量は、コイル１８からの距離の２乗に比例して先端部に向かって増やすように調整することが好ましい。
【００３０】
・上記実施形態の本体ハウジング１１内のコイル１８において、例えば図４に示すように、コイル１８の施術部２１と対向する上面１１ｂ側を除いた周囲を囲む電磁波抑制部材３２を設けてもよい。電磁波抑制部材３２は、コイル１８から生じる電磁波を抑制（吸収、反射等）する部材からなり、例えば磁性材であるフェライトコアを用いてもよい。電磁波抑制部材３２は、環状のコイル１８の内周側及び外周側を囲むとともに、コイル１８に対して上面１１ｂとは反対側の面を囲む略円環状に形成され、その中央部分に出力軸１２を挿入するための貫通孔３２ａが形成されている。これにより、コイル１８と施術部２１内の被加熱体（この場合、施術突起２９内の金属粒子３１）との間の誘導を阻害しないで、無用な電磁波の放射が電磁波抑制部材３２により抑制される。
【００３１】
また、例えば図５（ａ）に示すように、コイル１８側から見て施術部材２４のベース部２８の施術突起２９が形成された部分を除く部分に、電磁波抑制部材３３を設けてもよい。図５（ｂ）に示すように、電磁波抑制部材３３は、円板状に形成されるとともに、施術突起２９の位置に応じて貫通孔３３ａが４つ形成されている。これにより、施術部２１においても、施術突起２９内の被加熱体（金属粒子３１）との間の誘導を阻害しないで、無用な電磁波の放射がこの電磁波抑制部材３３にて抑制される。
【００３２】
また、例えば図６（ａ）に示すように、施術部２１の回転体２２に電磁波抑制部材３４を設けてもよい。回転体２２は、本体ハウジング１１内のコイル１８と外径が等しい円板状に形成されている。施術部２１（施術部ケース２３）は、回転体２２の上面に設けた連結軸３５にて上記実施形態と同様に支持される。また、この回転体２２の上面（施術部２１側）には、電磁波抑制部材３４が設けられている。図６（ｂ）及び図６（ｃ）に示すように、電磁波抑制部材３４は、板状をなし、施術部２１と対向する部分にその外径程度の貫通孔３４ａを有している。尚、電磁波抑制部材３４は、被加熱体（金属粒子３１）を含有する各施術突起２９に対応する部分にのみ貫通孔を形成した構成としてもよい。これにより、コイル１８と施術部２１内の被加熱体（この場合、施術突起２９内の金属粒子３１）との間の誘導を阻害しないで、無用な電磁波の放射がこの電磁波抑制部材３４でも抑制される。
【００３３】
・上記実施形態において、施術部２１の形状、構成等は一例であり、適宜変更してもよい。
・上記実施形態では、本体ハウジング１１に対して１つの施術部２１を設ける構成としたが、２以上の複数個設ける構成としてもよい。
【００３４】
・上記実施形態では、施術部ケース２３は、第１の軸Ｘ１からずれた第２の軸Ｘ２中心で出力軸１２に対して回転可能に設けられていたが、第１の軸Ｘ１を中心として出力軸１２と同軸で回転可能な構成としてもよい。
【００３５】
・上記実施形態では、施術部２１は、モータ１３の駆動力によって回転される構成としたが、これに限定されず、例えば、振動を付与する構成を用いてもよく、またその両者を用いる構成であってもよい。
【符号の説明】
【００３６】
１…頭皮ケア装置、１１…本体ハウジング、１２…出力軸、１８…コイル、２１…施術部、２２…回転体（回転部材）、２５…金属板（被加熱体）、２９…施術突起、３１…金属粒子（被加熱体）、３２，３３，３４…電磁波抑制部材。
【図１】
2013000130.tif 000003
【図２】
2013000130.tif 000004
【図３】
2013000130.tif 000005
【図４】
2013000130.tif 000006
【図５】
2013000130.tif 000007
【図６】
2013000130.tif 000008